(57)【特許請求の範囲】
【請求項１】
印刷テープに任意の情報を印刷してラベルを作成するラベル作成装置であって、
前記印刷テープに印刷するための情報を入力する情報入力部と、
前記情報入力部による入力結果を表示すると共に、前記情報入力部による入力位置をカーソルで示す表示部と、
前記情報入力部により入力された情報を、前記印刷テープに印刷する印刷部と、
前記情報入力部により複数枚の定長のラベルを印刷するための情報が入力された場合、ラベル間は切断せず最後のラベルの後端を切断する切断部と、を備え、
前記表示部は、
前記情報入力部による改行操作により各ラベルに対応した入力行を発生させ、
情報入力済みの入力行の行頭に前記カーソルがある状態で、前記情報入力部により削除操作が行われた場合、前記情報入力済みの入力行および当該入力行に入力されている情報を残したまま、１行前の入力行の行末に前記カーソルを移動し、
情報未入力の入力行の行頭に前記カーソルがある状態で、前記情報入力部により削除操作が行われた場合、前記情報未入力の入力行を削除して、１行前の入力行の行末に前記カーソルを移動することを特徴とするラベル作成装置。
【請求項２】
前記情報入力部は、前記ラベルごとに異なる情報を入力するフリー入力が可能であることを特徴とする請求項１に記載のラベル作成装置。
【請求項３】
前記情報入力部は、少なくとも一部の情報をインクリメントしながら連続的に複数枚のラベルを印刷する連番・連続印刷を行うための情報を入力する連番入力が可能であることを特徴とする請求項２に記載のラベル作成装置。
【請求項４】
前記情報入力部にて入力された前記定長のラベルを印刷するための情報に基づく前記定長の直近設定値を記憶する定長記憶部をさらに備え、
前記定長記憶部は、前記フリー入力時と、前記連番入力時とで、個別の直近設定値を記憶することを特徴とする請求項３に記載のラベル作成装置。
【請求項５】
前記印刷部および前記切断部が臨む搬送経路に沿って、前記印刷テープを搬送するテープ搬送部をさらに備え、
前記切断部は、前記印刷テープの送り開始から、前記搬送経路における前記印刷部の印刷位置と、前記切断部の切断位置と、の間の長さに相当するヘッドカッタ間距離分の送り終了後、前記印刷テープを切断することを特徴とする請求項１ないし４のいずれか１項に記載のラベル作成装置。
【請求項６】
前記切断部により、自動切断を行うか否かを設定する切断設定部をさらに備え、
前記切断部は、前記切断設定部により、自動切断を行うと設定されている場合に切断動作することを特徴とする請求項１ないし５のいずれか１項に記載のラベル作成装置。
【請求項７】
前記切断部は、ラベル間の切断を行わない特定モードに設定された後、前記情報入力部により複数枚の定長のラベルを印刷するための情報が入力された場合、ラベル間の切断を省略することを特徴とする請求項１ないし６のいずれか１項に記載のラベル作成装置。
【請求項８】
印刷テープに任意の情報を印刷してラベルを作成するラベル作成装置の制御方法であって、
前記ラベル作成装置が、
前記印刷テープに印刷するための情報を入力する情報入力ステップと、
前記情報入力ステップの入力結果を表示すると共に、前記情報入力ステップの入力位置をカーソルで示す表示ステップと、
前記情報入力ステップにて入力された情報を、前記印刷テープに印刷する印刷ステップと、
前記情報入力ステップにて複数枚の定長のラベルを印刷するための情報が入力された場合、ラベル間は切断せず最後のラベルの後端を切断する切断ステップと、を実行し、
前記表示ステップは、
前記情報入力ステップの改行操作により各ラベルに対応した入力行を発生させ、
情報入力済みの入力行の行頭に前記カーソルがある状態で削除操作が行われた場合、前記情報入力済みの入力行および当該入力行に入力されている情報を残したまま、１行前の入力行の行末に前記カーソルを移動し、
情報未入力の入力行の行頭に前記カーソルがある状態で削除操作が行われた場合、前記情報未入力の入力行を削除して、１行前の入力行の行末に前記カーソルを移動することを特徴とするラベル作成装置の制御方法。
【発明の詳細な説明】
【技術分野】
【０００１】
定長印刷機能を有するラベル作成装置およびラベル作成装置の制御方法に関するものである。
【背景技術】
【０００２】
従来、一定の長さのラベルを作成するための定長印刷機能が知られている。例えば、特許文献１には、定長を設定して複数の文字列を登録し、その全ての文字列を対象として印刷すると、定長のラベルが複数枚連続して作成されることが記載されている。
【０００３】
一方、定長のラベルを使用する用途の一つとして、パッチパネルの端子名を明示するためのラベル作成がある。パッチパネルとは、ケーブル群を収容し接続するためのパネルであり、パッチベイ、端子盤、制御盤とも呼称される。このパッチパネルを利用することで、専用のスイッチ装置を使わず簡便に信号の経路を選択できるため、音楽スタジオなどにおけるオーディオ機器の接続や通信用光ファイバーの接続など広く利用されている。
【０００４】
図１１は、パッチパネルのパネル前面７０の一部を示す図である。同図に示すように、一般的なパッチパネルは、機器からのケーブル７１をパネル前面の端子（ジャック，ソケット）７２に接続し（ケーブル７１先端の二重四角は、プラグを示す）、その背後には恒久的なケーブル（図示省略）が延びている。また、各端子７２の位置に合わせて、ケーブル７１の接続先などが印刷されたラベルＬａが貼付される。一般的に端子７２間の間隔は一定となるように設計されているため、定長印刷機能を用いることで、ラベル長の設定の手間を軽減できると共に、ラベル長が一定であるため、貼付した後の見栄えが良いといった利点がある。
【先行技術文献】
【特許文献】
【０００５】
【特許文献１】特開２００１−００１６０２号公報（段落［００６４］〜［００８７］等）
【発明の概要】
【発明が解決しようとする課題】
【０００６】
ところが、定長印刷機能を用いてラベルＬａを作成すると、ラベル間が自動切断されるため（自動切断機能を用いた場合）、テープ長の短いラベルＬａが多数作成されることとなり、貼付作業に手間がかかってしまう。例えば、１０個の端子７２が並ぶ場所に各端子７２に合わせたラベルＬａを貼付しようとすると、１０枚分の貼付作業が必要となる。この場合、各ラベルＬａを見栄え良く貼付するため、対応する各端子７２の位置と合うように且つ曲がらないように（傾かないように）、慎重に貼り付ける必要があるため余計に時間がかかってしまう。また、自動切断機能をＯＦＦにすることも考えられるが、この場合は、印刷終了後に手動にて印刷テープを切断する必要がある。また、自動切断機能をＯＦＦにすると、通常、テープ先端部の切断（ヘッドカッタ間に相当する長さ分の印刷テープの切断）も行われないため、最初のラベルだけラベル長が長くなることがあり、パネル前面７０に貼付した場合の見栄えを損ねるといった問題もあった。
【０００７】
本発明は、上記の問題点に鑑み、貼付作業が容易であり、且つ見栄えの良いパッチパネル貼付用のラベルを作成可能なラベル作成装置およびラベル作成装置の制御方法を提供することを課題とする。
【課題を解決するための手段】
【０００８】
本発明のラベル作成装置は、印刷テープに任意の情報を印刷してラベルを作成するラベル作成装置であって、印刷テープに印刷するための情報を入力する情報入力部と、情報入力部による入力結果を表示すると共に、情報入力部による入力位置をカーソルで示す表示部と、情報入力部により入力された情報を、印刷テープに印刷する印刷部と、情報入力部により複数枚の定長のラベルを印刷するための情報が入力された場合、ラベル間は切断せず最後のラベルの後端を切断する切断部と、を備え、表示部は、情報入力部による改行操作により各ラベルに対応した入力行を発生させ、情報入力済みの入力行の行頭にカーソルがある状態で、情報入力部により削除操作が行われた場合、情報入力済みの入力行および当該入力行に入力されている情報を残したまま、１行前の入力行の行末にカーソルを移動し、情報未入力の入力行の行頭にカーソルがある状態で、情報入力部により削除操作が行われた場合、情報未入力の入力行を削除して、１行前の入力行の行末にカーソルを移動することを特徴とする。
上記のラベル作成装置において、情報入力部は、ラベルごとに異なる情報を入力するフリー入力が可能であることが好ましい。
上記のラベル作成装置において、情報入力部は、少なくとも一部の情報をインクリメントしながら連続的に複数枚のラベルを印刷する連番・連続印刷を行うための情報を入力する連番入力が可能であることが好ましい。
上記のラベル作成装置において、情報入力部にて入力された定長のラベルを印刷するための情報に基づく定長の直近設定値を記憶する定長記憶部をさらに備え、定長記憶部は、フリー入力時と、連番入力時とで、個別の直近設定値を記憶することが好ましい。
上記のラベル作成装置において、印刷部および切断部が臨む搬送経路に沿って、印刷テープを搬送するテープ搬送部をさらに備え、切断部は、印刷テープの送り開始から、搬送経路における印刷部の印刷位置と、切断部の切断位置と、の間の長さに相当するヘッドカッタ間距離分の送り終了後、印刷テープを切断することが好ましい。
上記のラベル作成装置において、切断部により、自動切断を行うか否かを設定する切断設定部をさらに備え、切断部は、切断設定部により、自動切断を行うと設定されている場合に切断動作することが好ましい。
上記のラベル作成装置において、切断部は、ラベル間の切断を行わない特定モードに設定された後、情報入力部によりｎ枚の定長のラベルを印刷するための情報が入力された場合、１番目から（ｎ−１）番目のラベルの後端の切断を省略することが好ましい。
本発明のラベル作成装置の制御方法は、印刷テープに任意の情報を印刷してラベルを作成するラベル作成装置の制御方法であって、ラベル作成装置が、印刷テープに印刷するための情報を入力する情報入力ステップと、情報入力ステップの入力結果を表示すると共に、情報入力ステップの入力位置をカーソルで示す表示ステップと、情報入力ステップにて入力された情報を、印刷テープに印刷する印刷ステップと、情報入力ステップにて複数枚の定長のラベルを印刷するための情報が入力された場合、ラベル間は切断せず最後のラベルの後端を切断する切断ステップと、を実行し、表示ステップは、情報入力ステップの改行操作により各ラベルに対応した入力行を発生させ、情報入力済みの入力行の行頭にカーソルがある状態で削除操作が行われた場合、情報入力済みの入力行および当該入力行に入力されている情報を残したまま、１行前の入力行の行末にカーソルを移動し、情報未入力の入力行の行頭にカーソルがある状態で削除操作が行われた場合、情報未入力の入力行を削除して、１行前の入力行の行末にカーソルを移動することを特徴とする。
なお、以下の構成としても良い。
本発明のラベル作成装置は、印刷テープに任意の情報を印刷してラベルを作成するラベル作成装置であって、テープ長手方向が一定の長さのラベルを作成するための定長を設定する定長設定部と、印刷テープに印刷するための情報を入力する情報入力部と、情報入力部により入力された情報を、印刷テープに印刷する印刷部と、印刷テープを、テープ幅方向に切断する切断部と、を備え、定長設定部により定長が設定され、且つ情報入力部によりｎ枚（但し、ｎはｎ≧２となる整数）のラベルを印刷するための情報が入力された場合、切断部は、１番目から（ｎ−１）番目のラベルの後端は切断せず、ｎ番目のラベルの後端を切断することを特徴とする。
【０００９】
本発明のラベル作成装置の制御方法は、印刷テープに任意の情報を印刷してラベルを作成するラベル作成装置の制御方法であって、ラベル作成装置が、テープ長手方向が一定の長さのラベルを作成するための定長を設定する定長設定ステップと、印刷テープに印刷するための情報を入力する情報入力ステップと、入力された情報を、印刷テープに印刷する印刷ステップと、印刷テープを、テープ幅方向に切断する切断ステップと、を実行し、定長設定ステップにおいて定長が設定され、且つ情報入力ステップにおいてｎ枚（但し、ｎはｎ≧２となる整数）のラベルを印刷するための情報が入力された場合、切断ステップでは、１番目から（ｎ−１）番目のラベルの後端は切断せず、ｎ番目のラベルの後端を切断することを特徴とする。
【００１０】
これらの構成によれば、定長を設定し、且つｎ枚のラベルを印刷するための情報をそれぞれ入力することで、ｎ枚のラベル（以下、「部分ラベル」と称する）が繋がった状態の１枚のラベル（以下、「パッチパネル用ラベル」）を作成できる。これにより、複数の端子が１列に並ぶ場所に、各端子名を明示するためのラベルを貼付しようとした場合、パッチパネル用ラベルを少なくとも１枚作成して貼付するだけでよく、貼付作業の手間を軽減できる。また、ｎ番目の部分ラベルの後端は切断されるため、手動による印刷テープの切断操作も不要となり、さらにユーザーの手間を軽減できる。
【００１１】
上記に記載のラベル作成装置において、情報入力部は、ラベルごとに異なる情報を入力するフリー入力が可能であり、情報入力部による入力結果を表示する表示部をさらに備え、フリー入力時において、表示部は、情報入力部の改行操作により各ラベルに対応した入力行を発生させることが好ましい。
【００１２】
この構成によれば、パッチパネル用ラベルを構成する各部分ラベルに、使用用途やユーザーの好みに応じた任意の情報を印刷することができる。また、フリー入力では、ユーザーの改行操作により各部分ラベルに対応した入力行が発生するため、予めラベル枚数を設定しておくなどの必要がなく、容易且つ迅速に情報入力を行うことができる。なお、フリー入力の場合、ラベル枚数「ｎ」は、入力行の行数と一致する。
【００１３】
上記に記載のラベル作成装置において、表示部は、情報入力部による入力位置をカーソルで示し、情報入力済みの入力行の行頭にカーソルがある状態では、情報入力部により削除操作が行われた場合、情報入力済みの入力行および当該入力行に入力されている情報を残したまま、１行前の入力行の行末にカーソルを移動し、また情報未入力の入力行の行頭にカーソルがある状態では、情報入力部により削除操作が行われた場合、情報未入力の入力行を削除して、１行前の入力行の行末にカーソルを移動することが好ましい。
【００１４】
この構成によれば、対象入力行に情報が入力されているか否かに応じて、削除操作が行われた場合の結果が変化するため、利便性が良い。例えば、情報入力済みの入力行の行頭にカーソルがある状態で削除操作が行われた場合、１行前の入力行の行末にカーソルが移動するため、当該１行前の入力行の行末の編集を行いたい場合に便利である。またこの場合、削除操作によって、あたかも改行マークが削除されたように、１行前の入力行の行末に対象入力行の情報が付加されることがないため、意図せず定長オーバーとなってしまうなどの不都合がない。また、情報未入力の入力行の行頭にカーソルがある状態で削除操作が行われた場合、その入力行を削除するため、部分ラベルの作成枚数を減らしたい場合に便利である。
【００１５】
上記に記載のラベル作成装置において、情報入力部は、少なくとも一部の情報をインクリメントしながら連続的にｎ枚のラベルを印刷する連番・連続印刷を行うための情報を入力する連番入力が可能であることが好ましい。
【００１６】
この構成によれば、パッチパネル用ラベルを作成する場合、各端子を単に識別する目的で、「端子−１」、「端子−２」・・・などの情報を印刷することが考えられるが、そのような場合に便利である。なお、連番入力の場合、ラベル枚数「ｎ」は、指定されたラベル枚数（連番・連続印刷を行うための情報に含まれるラベル枚数の指定情報」となる。
【００１７】
上記に記載のラベル作成装置において、定長設定部による直近設定値を記憶する定長記憶部をさらに備え、定長記憶部は、フリー入力時と、連番入力時とで、個別の直近設定値を記憶することが好ましい。
【００１８】
この構成によれば、定長設定の直近設定値を記憶するため、同じ長さのラベルを続けて作成したい場合に便利である。また、フリー入力時と、連番入力時とで、個別の直近設定値を記憶するため、使用用途に応じてフリー入力と連番入力を使い分けている場合に、それぞれの定長設定の手間を軽減できる。
【００１９】
上記に記載のラベル作成装置において、印刷部および切断部が臨む搬送経路に沿って、印刷テープを搬送するテープ搬送部をさらに備え、切断部は、印刷テープの送り開始から、搬送経路における印刷部の印刷位置と、切断部の切断位置と、の間の長さに相当するヘッドカッタ間距離分の送り終了後、印刷テープを切断することが好ましい。
【００２０】
この構成によれば、印刷テープの送り開始からヘッドカッタ間距離分の送り終了後に印刷テープを切断する（前カットを行う）ため、印刷テープを逆送りするなどの複雑な制御を必要とすることなく、パッチパネル用ラベルの先端から情報を印刷することができる。また、前カットにより、全ての部分ラベルのラベル長が統一されるため、パネル前面に貼付した際の見栄えが良い。
【００２１】
上記に記載のラベル作成装置において、切断部により、自動切断を行うか否かを設定する切断設定部をさらに備え、切断部は、切断設定部により、自動切断を行うと設定されている場合に切断動作することが好ましい。
【００２２】
この構成によれば、自動切断を行うと設定されている場合でも、ｎ枚の部分ラベルが繋がった状態のパッチパネル用ラベルを作成できる。つまり、切断設定部の設定を変更することなく、通常ラベル作成時はラベル印刷ごとに自動切断を行い、パッチパネル用ラベル作成時はｎ枚の部分ラベルの最後の部分ラベルの後端のみを切断する、といった使い方が可能となる。
【００２３】
上記に記載のラベル作成装置において、切断部は、ラベル間の切断を行わない特定モードに設定された後、定長設定部により定長が設定され、且つ情報入力部によりｎ枚のラベルを印刷するための情報が入力された場合、１番目から（ｎ−１）番目のラベルの後端の切断を省略することが好ましい。
【００２４】
この構成によれば、特定モード（パッチパネル用ラベルを作成するためのモード）に設定された場合のみ、１番目から（ｎ−１）番目のラベルの後端の切断を省略することができる。言い換えれば、特定モードに設定されていない場合に、定長設定部により定長が設定され、且つ情報入力部によりｎ枚のラベルを印刷するための情報が入力された場合は、ｎ枚全てのラベルの後端の切断を行うことができる。
【図面の簡単な説明】
【００２５】
【図１】本発明の一実施形態に係るラベル作成装置の外観斜視図である。
【図２】ラベル作成装置の制御ブロック図である。
【図３】ラベル作成装置の機能ブロック図である。
【図４】パッチパネル用ラベルの貼付例を示す平面図である。
【図５】パッチパネル用ラベル（フリー入力）の作成方法を示す画面遷移図である。
【図６】パッチパネル用ラベル（フリー入力）の作成結果を示す平面図である。
【図７】パッチパネル用ラベル（連番入力）の作成方法を示す画面遷移図である。
【図８】図７に続く画面遷移図である。
【図９】パッチパネル用ラベル（連番入力）の作成結果を示す平面図である。
【図１０】パッチパネル用ラベルの変形例を示す平面図である。
【図１１】パッチパネルのラベル貼付例の従来例を示す平面図である。
【発明を実施するための形態】
【００２６】
以下、本発明の一実施形態について、添付図面を参照しながら詳細に説明する。図１は、本実施形態に係るラベル作成装置１の開閉蓋２１を開いた状態の外観斜視図である。図１に示すようにラベル作成装置１は、装置ケース２により外郭が形成され、装置ケース２の前部上面には各種入力キーを備えたキーボード３が配置されると共に、後部上面には、その左部に開閉蓋２１が取り付けられ、その右部には表示画面４１が配設されている。また、表示画面４１の手前側には、特殊印刷（パッチパネル用ラベルＬｐ（図６等参照）の印刷など）を指示するための特殊キー群４２が配置されている。開閉蓋２１の内側にはテープカートリッジＣを装着するためのカートリッジ装着部６が窪入形成されており、テープカートリッジＣは、開閉蓋２１を開放した状態でカートリッジ装着部６に着脱可能に装着される。また、開閉蓋２１にはこれを閉じた状態でテープカートリッジＣの装着／非装着を視認するための覗き窓２１ａが形成されている。
【００２７】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサー等と同様である。また、機能キー群３ｂには、［印刷］キー、［特殊印刷］キー、［カーソル］キー、［選択］キー、［削除］キーおよび［連番］キーなどが含まれる。
【００２８】
［印刷］キーは、通常印刷の実行を指示するためのキーである。また、［特殊印刷］キーは、連続印刷や鏡文字印刷の実行を指示するためのキーである。「連続印刷」とは、同じラベルを連続して印刷する機能であり、「鏡文字印刷」とは、入力された情報を鏡像反転して印刷する機能である。また、［カーソル］キーは、上下左右キー（［↑］，［↓］，［←］，［→］）から成り、カーソル移動やスクロール操作を行うためのキーである。また、［選択］キーは、選択肢の選択および改行操作を行うためのキーである。また、［削除］キーは、文字を削除（消去）するためのキーである。また、［連番］キーは、数字または英字の部分だけが異なる複数のラベルを、印刷ごとに数字または英字の部分を加算または減算しながら印刷する連番印刷を行うためのキーである。
【００２９】
表示画面４１は、液晶ディスプレーであり、ユーザーがキーボード３を用いて入力した入力情報に基づく編集結果、および当該編集結果に基づいて生成された印刷データ等を確認したりする際に用いられる。
【００３０】
装置ケース２の左側部には、カートリッジ装着部６と外部とを連通するテープ排出口２２が形成され、このテープ排出口２２には、不図示のテープ搬送機構により送り出したテープ（印刷テープ）Ｔを切断するためのテープカッター２３が臨んでいる。そして、テープ排出口２２から印刷済みのテープＴが所定長さだけ送り出され、送りを一旦停止させた状態で、この印刷済みのテープＴがテープカッター２３により切断されて、短冊状のラベルを作成する。なお、切断処理については、自動カット（自動切断）を「する」または「しない」の選択肢により、カッターモーター２５（図２参照）の駆動を設定できる。
【００３１】
一方、カートリッジ装着部６には、ヘッドカバー６１ａ内にサーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４とを備えている。また、カートリッジ装着部６の下側には、テープ搬送機構となるプラテン駆動軸６２および巻き取り駆動軸６３を回転させるテープ送りモーター２６（図２参照）が内蔵されている。
【００３２】
テープカートリッジＣは、カートリッジケース５１内部の上部中央部に、一定の幅（４ｍｍ〜４８ｍｍ程度）のテープＴを巻回したテープリール１７と、右下部にインクリボンＲを巻回したリボンリール１９とを収容して構成されており、テープＴとインクリボンＲは同じ幅で構成されている。また、テープリール１７の左下部には前記ヘッドユニット６１を覆うヘッドカバー６１ａが差し込まれるための貫通孔５５が形成されている。さらに、貫通孔５５に差し込まれたヘッドユニット６１と、プラテン駆動軸６２に嵌合されて回転駆動するプラテンローラー５３とは、テープＴとインクリボンＲとが重なる部分に対応して配置されている。一方、リボンリール１９に近接してリボン巻き取りリール５４が配置され、リボンリール１９から繰り出されたインクリボンＲは、ヘッドカバー６１ａを周回するように、リボン巻き取りリール５４に巻き取られるようになっている。つまり、貫通孔５５の周壁のリボン走行路を経由して、リボン巻き取りリール５４に巻き取られるようになっている。
【００３３】
テープカートリッジＣがカートリッジ装着部６に装着されると、ヘッドカバー６１ａに貫通孔５５が、位置決め突起６４にテープリール１７の中心孔が、巻き取り駆動軸６３にリボン巻き取りリール５４の中心孔がそれぞれ差し込まれ、テープＴおよびインクリボンＲを挟み込んで印刷ヘッド７がプラテンローラー５３に当接して印刷が可能になる。その後、ユーザーが表示画面４１の編集結果を確認しながらキーボード３により所望のテキスト（文字、数字、記号、簡易図形等のキャラクタ）や画像を入力し、［印刷］キー等の押下によって印刷を指示すると、ラベル作成装置１は、テープ送りモーター２６によりテープカートリッジＣからテープＴを繰り出し、印刷ヘッド７の発熱素子を選択的に発熱させることによりテープＴに所望の印刷を行う。テープＴの印刷済み部分はテープ排出口２２から随時外部に送り出され、印刷を完了すると、テープ送りモーター２６は、余白分を含むテープ長さの位置までテープＴの送りを行った後、その送りを停止する（その後、切断処理に移行する）。
【００３４】
一方、テープＴは、裏面に粘着剤層が形成された記録テープＴａと、この粘着剤層により記録テープＴａに貼り付けられた剥離テープＴｂとから構成されている。そして、テープＴは、記録テープＴａを外側にし、且つ剥離テープＴｂを内側にしてロール状に巻回されてカートリッジケース５１内に収容されている。また、テープＴは、テープ種別（テープ幅、テープの地色、地模様、材質など）が異なる複数種のものが用意されており、各カートリッジケース５１には、このうち１種類のテープＴ（およびインクリボンＲ）が収容されている。また、カートリッジケース５１の裏面にはテープカートリッジＣの種別を特定する複数の孔（図示省略）が設けられている。また、複数の孔に対応してカートリッジ装着部６には、これらを検出するテープ識別センサー（マイクロスイッチ等）２７（図２参照）が、複数設けられており、このテープ識別センサー２７により複数の孔の状態を検出することで、テープ種別を判別できるようになっている。
【００３５】
次に、図２の制御ブロック図を参照し、ラベル作成装置１の制御構成について説明する。ラベル作成装置１は、中央処理装置であるＣＰＵ（Central  Processing  Unit）８１、ＲＡＭ（Random  Access  Memory）８２、ＲＯＭ（Read  Only  Memory）８３、表示画面４１、特殊キー群４２、キーボード３、カッターモーター２５、テープカッター２３、テープ送りモーター２６、印刷ヘッド７およびテープ識別センサー２７を備え、各構成要素は、バス８５を介して接続されている。
【００３６】
ＲＡＭ８２は、ＣＰＵ８１と直接接続されており、ＣＰＵ８１が各種制御を行う際のワークエリアとして用いられる。ＲＯＭ８３は、ＣＰＵ８１が各種制御を行うための制御プログラムおよび各種情報を記憶している。制御プログラムとしては、具体的に、表示画面４１の表示制御を行うための表示制御プログラムや印刷処理を行うための印刷処理プログラム等を記憶している（図示省略）。また、ＲＯＭ８３は、定長設定（テープ長手方向が一定の長さのラベルを作成するための定長印刷機能の設定）、長さ設定、割付け設定（前揃え、中揃え、均等割付け、後揃えの設定）などの保存値を記憶する保存値記憶領域８４を有している。「保存値」とは、表示画面４１に選択肢が表示されたときに最初に選択されている選択肢を指す。
【００３７】
表示画面４１は、編集結果や印刷レイアウトを表示する。特殊キー群４２には、パッチパネル用ラベルＬｐを作成するための［パッチパネル］キーが含まれる。［パッチパネル］キーが押下されると、パッチパネル用ラベルＬｐの作成方法として、任意の文字列（記号、絵文字を含む）を入力可能な「フリー入力」と、連番文字を入力可能な「連番入力」と、のいずれかを選択可能である。詳細は後述する。
【００３８】
キーボード３は、ユーザーが情報を入力するために用いられる。カッターモーター２５は、テープカッター２３と接続され、テープＴをその幅方向に切断する。テープ送りモーター２６は、テープ搬送機構を駆動する。印刷ヘッド７は、テープ搬送に同期してテープＴ上に印刷を行う。テープ識別センサー２７は、テープカートリッジＣに収容されたテープＴの種別を検出する。ＣＰＵ８１は、このテープ識別センサー２７の検出結果に基づいて（テープ幅やテープ材質等に基づいて）、表示画面４１へのテープ幅の表示（図５のＤ１０等参照）、テキストとして入力可能な行数および文字数の制限、パッチパネル用ラベルＬｐの作成に適したテープＴであるか否かの判別、などを行う。なお、ＣＰＵ８１は、パッチパネル用ラベルＬｐの作成に適したテープＴでないと判定した場合、［パッチパネル］キーが押下されたとき、表示画面４１にエラー表示を行う。その他、ＣＰＵ８１は、表示画面４１の表示処理、編集処理および印刷処理を制御する。
【００３９】
次に、図３を参照し、ラベル作成装置１の機能構成について説明する。ラベル作成装置１は、主な機能構成として、定長記憶部１１０、定長設定部１２０（情報入力部）、情報入力部１３０、表示部１４０、切断設定部１５０、印刷データ生成部１６０および印刷処理部１７０を備えている。
【００４０】
定長記憶部１１０は、定長印刷機能の保存値を記憶するものであり、保存値記憶領域８４を主要部とする。なお、定長印刷機能の保存値としては、定長設定部１２０による特定モード用の直近設定値と、通常の定長印刷機能による通常モード用の直近設定値と、を記憶する。なお、「特定モード」とは、パッチパネル用ラベルＬｐを作成するためのモードであり、［パッチパネル］キーの押下によって移行する。また、「通常モード」とは、［パッチパネル］キーが押下されない場合のモードであり、編集メニューの一機能として定長印刷機能の設定が可能である（設定方法は、後述する図５のＤ０３と同様）。また、「通常モード」において、定長印刷設定が行われた場合であって、自動カット「する」に設定された場合、定長のラベルごとに切断処理が行われる（全てのラベルの後端が切断される）。
【００４１】
また、定長記憶部１１０は、特定モード時の入力方法である「フリー入力」時と「連番入力」時とで、個別の直近設定値を記憶する。「フリー入力」および「連番入力」とは、後述する情報入力部１３０の入力方法を指すものであり、ユーザーは特定モードに設定した後、いずれかの入力方法を選択する必要がある。「フリー入力」を選択した場合は、部分ラベルＬｓ（図６等参照）ごとに異なる情報を入力し、「連番入力」を選択した場合は、複数枚の部分ラベルＬｓの連番・連続印刷を連続的に行うための情報を入力する。
【００４２】
定長設定部１２０は、特定モード設定後に、定長を設定するものであり、特殊キー群４２（［パッチパネル］キー）およびキーボード３を主要部とする。なお、「通常モード」時における定長印刷機能は、一定の長さのラベルを作成するための機能であるが、「特定モード」時における定長印刷機能は、パッチパネル用ラベルＬｐを構成する各部分ラベルＬｓのラベル長設定のために用いられる。図４は、パッチパネルのパネル前面７０への、パッチパネル用ラベルＬｐの貼付例を示す平面図である。同図に示すように、パッチパネル用ラベルＬｐを作成する際、定長としては、隣り合う端子７２間の長さ（定長ＦＬ）を設定する。当該定長ＦＬが、部分ラベルＬｓの長さとなる。また、作成されたパッチパネル用ラベルＬｐは、一列に並ぶ複数の端子７２と並行に貼付され、各部分ラベルＬｓによって各端子７２の端子名が明示される。
【００４３】
情報入力部１３０は、テープＴに印刷するための情報を入力するものであり、キーボード３を主要部とする。また、情報入力部１３０は、上記の通り、パッチパネル用ラベルＬｐの作成時において、部分ラベルＬｓごとに任意の文字列を入力する「フリー入力」と、連番・連続印刷を行うための情報を入力する「連番入力」と、のいずれかを行う。「連番・連続印刷を行うための情報」には、「連番印刷設定」に含まれる「初期値」、「繰返し回数」、「２桁繰上り」の設定値と、「連続印刷設定」に含まれる「部分ラベルＬｓの枚数指定」または「枚数指定なし（ユーザーによって印刷が止められるまで）」のいずれかの設定値と、が含まれる。
【００４４】
表示部１４０は、情報入力部１３０による入力結果を表示するものであり、表示画面４１を主要部とする。なお、表示部１４０は、フリー入力時において、情報入力部１３０による［選択］キーの押下（改行操作）により各部分ラベルＬｓに対応した入力行を発生させる。また、フリー入力時において、情報入力済みの入力行の行頭にカーソルＫがある状態で、［削除］キーが押下された場合、情報入力済みの入力行および当該入力行に入力されている情報を残したまま、１行前の入力行の行末にカーソルＫを移動する。一方、情報未入力の入力行の行頭にカーソルＫがある状態で、［削除］キーが押下された場合は、情報未入力の入力行を削除して、１行前の入力行の行末にカーソルＫを移動する。
【００４５】
切断設定部１５０は、後述する切断部１７３により、自動カットを行うか否かを設定する。なお、自動カット「する」に設定された場合は、印刷前後におけるテープＴの切断を自動的に行う。また、自動カット「しない」に設定された場合は、印刷後のテープＴをハサミ等により切断するか、ラベル作成装置１に搭載されたカット機能（テープ送り後カットする機能）を用いてテープＴを切断する。
【００４６】
印刷データ生成部１６０は、定長設定部１２０の設定、および情報入力部１３０により入力された情報（連番入力の場合の連番印刷設定および連続印刷機能の設定値を含む）に基づいて、文字列のレイアウトを決定し、テープＴに印刷するための印刷データを生成するものであり、ＣＰＵ８１、ＲＡＭ８２およびＲＯＭ８３を主要部とする。
【００４７】
印刷処理部１７０は、テープ搬送部１７１、印刷部１７２および切断部１７３を含み、印刷データ生成部１６０により生成された印刷データに基づいて印刷処理を行う。テープ搬送部１７１は、テープ送りモーター２６およびテープ搬送機構を主要部とし、印刷部１７２は、印刷ヘッド７を主要部とする。また、切断部１７３は、テープカッター２３およびカッターモーター２５を主要部とする。
【００４８】
切断部１７３は、［パッチパネル］キーの押下によりパッチパネル用ラベルＬｐの作成に必要な情報が入力された場合（定長設定部１２０により定長が設定され、且つ情報入力部１３０によりｎ枚（但し、ｎはｎ≧２となる整数）のラベルを印刷するための情報が入力された場合）、１番目から（ｎ−１）番目のラベルの後端は切断せず、ｎ番目のラベルの後端を切断する（以後、「後カット」と称する）。また、切断部１７３は、テープＴの送り開始から、テープ搬送部１７１の搬送経路における印刷ヘッド７の位置と、当該印刷ヘッド７の下流側に設けられたテープカッター２３の位置と、の間の長さに相当するヘッドカッタ間距離分の送り終了後、テープＴを切断する（以後、「前カット」と称する）。なお、後カットおよび前カットは、切断設定部１５０により、自動カット「する」と設定されている場合に行われる。以下の説明では、特に断りがない限り、自動カット「する」に設定されているものとする。
【００４９】
次に、図５ないし図９を参照し、パッチパネル用ラベルＬｐの作成処理について詳細に説明する。図５は、「フリー入力」を行う場合の作成処理を示す画面遷移図である。同図において、符号Ｄ０１の画面（以下、「画面Ｄ＊＊」と記載する）は、未入力状態のテキスト入力画面を示している。未入力状態のテキスト入力画面は、行頭マークＭ１に、カーソルＫが付加されている。
【００５０】
テキスト入力画面（画面Ｄ０１）において、［パッチパネル］キーが押下されると、パッチパネル選択画面（画面Ｄ０２）に遷移する（「特定モード」に移行する）。パッチパネル選択画面では、画面左部に選択肢「パネルＡ」および「パネルＢ」を表示する。「パネルＡ」は「フリー入力」を示す選択肢であり、「パネルＢ」は「連番入力」を示す選択肢である。また、同図の例では、パッチパネル選択画面の直近設定値が「パネルＡ」となっており、反転表示される。なお、以下の説明において、反転表示は直近設定値（デフォルト値）であることであることを意味する。また、選択肢「パネルＡ」が反転表示されている場合、パッチパネル選択画面の画面右部には、「パネルＡ」を選択した場合のラベル作成例９５を表示する。ラベル作成例９５は、「フリー入力」によるパッチパネル用ラベルＬｐの作成例を簡易表示したものである。
【００５１】
画面Ｄ０２の状態で［選択］キーが押下されると、長さ設定画面（画面Ｄ０３）に遷移する。長さ設定画面は、定長（本実施形態では、部分ラベルＬｓの長さ）を設定するための画面である。同画面では、複数の長さ選択肢の中からいずれかを選択可能となっている。また、当該選択結果は、「フリー入力」用の直近設定値として保存値記憶領域８４に記憶される。なお、選択肢は、０．２〜０．５ｃｍ間隔で表示されることが好ましい。また、複数の選択肢の中から選択するのではなく、数値入力によって定長を設定しても良い。
【００５２】
画面Ｄ０３の状態で［選択］キーが押下されると、情報入力画面（フリー入力用）（Ｄ０４）に遷移する。情報入力画面では、１枚目の部分ラベルＬｓに対応する入力行を表示する。また、行頭には、カーソルＫが表示される。なお、各部分ラベルＬｓに対応する入力行には、画面Ｄ０３で設定された定長に収まる１行分の文字列を入力可能となっている。仮に、設定した定長を超える文字数が入力された場合、エラー表示を行う。
【００５３】
画面Ｄ０４の状態から文字列「ＬＡＮ  １」が入力されると、画面Ｄ０５の状態となる（カーソルＫが最終文字「１」に付加される）。また、画面Ｄ０５の状態で［選択］キーが押下されると、画面Ｄ０６の状態となる。すなわち、２枚目の入力行が発生し、カーソルＫは２枚目の入力行の行頭に表示される。なお、画面Ｄ０６の状態で［削除］キーが押下されると、２枚目の入力行が削除され、画面Ｄ０５の状態となる。また、仮に２枚目の入力行に文字が入力された後、２枚目の入力行の行頭にカーソルＫを移動して［削除］キーが押下されると、２枚目の入力行と入力文字は残されたまま、カーソルＫが、１枚目の入力行の行末に移動する。
【００５４】
画面Ｄ０６の状態から文字列「ＬＡＮ  ２」が入力されると、画面Ｄ０７の状態となる（カーソルＫが２枚目の入力行の最終文字「２」に付加される）。また、画面Ｄ０７の状態で［選択］キーが押下されると、３枚目の入力行が発生し、画面Ｄ０８の状態となる。この要領で、３枚目の入力行に「Ｃａｂｌｅ  Ａ」、４枚目の入力行に「Ｃａｂｌｅ  Ｂ」、５枚目の入力行に「Ｃａｂｌｅ  Ｃ」、６枚目の入力行に「Ｃａｂｌｅ  Ｄ」が入力されると、画面Ｄ０９の状態となる（カーソルＫが６枚目の入力行の最終文字「Ｄ」に付加される）。つまり、画面Ｄ０４〜画面Ｄ０９の入力操作により、６枚分の部分ラベルＬｓを印刷するための情報が入力されたことになる。
【００５５】
ここで（画面Ｄ０９の状態で）［印刷］キーが押下されると、表示画面４１は印刷実行画面（画面Ｄ１０）に遷移し、印刷処理が実行される。印刷実行画面では、長さ設定画面（画面Ｄ０３）で設定された定長と、テープ識別センサー２７の検出結果に基づくテープ幅と、印刷枚数と、を表示する。なお、これらの情報に加えて、パッチパネル用ラベルＬｐの長さ（同図の例では、５．０ｃｍ×６＝３０．０ｃｍ）や、部分ラベルＬｓの枚数などを表示しても良い。なお、印刷終了後は、情報入力画面（画面Ｄ０９）に戻る。
【００５６】
図６（ａ）は、図５に示した手順で作成されたパッチパネル用ラベルＬｐの印刷結果（フリー入力）を示す平面図である。印刷処理では、まずテープ送り開始からテープカッター間の長さＨＣ分の送り後、前カットを行う。また、各部分ラベルＬｓに対応して入力された情報を、それぞれ定長５．０ｃｍの範囲に、割付け「中揃え」で印刷する。また、文字列の方向は、テープＴの長手方向、文字の向きは「横書き」となる。さらに、印刷終了後、６枚目の部分ラベルＬｓの後端を後カットする。これにより、同図に示すような長さ３０．０ｃｍのパッチパネル用ラベルＬｐが作成される。作成されたパッチパネル用ラベルＬｐは、端子７２が並ぶパネル前面７０に、端子７２の並び方向と平行になるように、また各部分ラベルＬｓに対応する情報（端子名）が、各端子７２の位置と合うように位置決めされて貼付される（図４参照）。
【００５７】
なお、図６（ａ）では、前カットを行う場合を例示したが、前カットの機能を有しないラベル作成装置１の場合、図６（ｂ）に示すように、前カットが行われるべき位置に前カット線９１を印刷しても良い。この構成によれば、前カットの機能を有しないラベル作成装置１の場合でも、ハサミ等を用いて直線的にテープＴをカットすることができ、全ての部分ラベルＬｓの長さが均一な見栄えの良いパッチパネル用ラベルＬｐを作成できる。
【００５８】
また、図６（ｃ）に示すように、部分ラベルＬｓのラベル間に区切り線９２を印刷しても良い。この構成によれば、パッチパネル用ラベルＬｐを貼付する際の位置決めが容易となる。
【００５９】
次に、図７および図８を参照し、「連番入力」を行う場合のパッチパネル用ラベルＬｐの作成処理について説明する。テキスト入力画面（画面Ｄ２１，図５の画面Ｄ０１と同様）において、［パッチパネル］キーが押下されると、パッチパネル選択画面（画面Ｄ２２，図５の画面Ｄ０２と同様）に遷移する。画面Ｄ２２の状態で、［↓］キーが押下されると、画面Ｄ２３の状態となり、選択肢「パネルＢ」が網掛け表示される（網掛け表示は点線枠にて図示）。また、選択肢「パネルＢ」が網掛け表示されている場合は、画面右部に、「パネルＢ」を選択した場合のラベル作成例９６を表示する。ラベル作成例９６は、「連番入力」によるパッチパネル用ラベルＬｐの作成例を簡易表示したものである。
【００６０】
画面Ｄ２３の状態で［選択］キーが押下されると、長さ設定画面（画面Ｄ２４）に遷移する。長さ設定画面（画面Ｄ２４）は、「フリー入力」の場合の長さ設定画面（図５の画面Ｄ０３）と同様の表示である。なお、長さ設定画面（画面Ｄ２４）の選択結果は、「連番入力」用の直近設定値として保存値記憶領域８４に記憶される。画面Ｄ２４の状態で［選択］キーが押下されると、情報入力画面（連番入力用）（画面Ｄ２５）に遷移する。情報入力画面では、１行分の入力行を表示する。また、当該入力行の行頭には、カーソルＫが表示される。なお、情報入力画面（連番入力用）では、複数行の入力行は禁止されている。したがって、画面Ｄ２５や画面Ｄ２６の状態で［選択］キーが押下されると、エラー表示を行う。
【００６１】
画面Ｄ２５の状態で文字列「ＬＡＮ」が入力されると、画面Ｄ２６の状態となる（カーソルＫが入力行の最終文字「Ｎ」に付加される）。この状態で［連番］キーが押下されると、連続番号設定画面（画面Ｄ２７）に遷移し、連番印刷設定を開始する。連番印刷設定では、まず「初期値」を入力する。「初期値」としては、数字「０〜９」、「００〜９９」またはアルファベットを入力可能である。また、数字「０〜９」が入力された場合は、「２桁繰上り」の選択が必要となる（Ｄ３０参照）。例えば、画面Ｄ２７の状態で数字の［１］キーが押下されると、画面Ｄ２８の状態となり（初期値「１」が入力され）、画面Ｄ２８の状態で、［選択］キーが押下されると、繰返し回数設定画面（Ｄ２９）に遷移する。「繰返し回数」としては、「１回」、「２回」、「３回」、「４回」、「５回」、「１０回」のいずれかを選択可能であり、例えば「２回」が設定されると、上記の設定により初期値が「１」であるため、「１、１、２、２、３、３・・・」のように、２回ずつ繰り返しながら連番印刷を行う。
【００６２】
画面Ｄ２９の状態で［選択］キーが押下されると、２桁繰上り設定画面（画面Ｄ３０）に遷移する。２桁繰上り設定画面では、選択肢「あり」、「なし」を表示する。ここで、「あり」が選択されると、「１、２、３、・・・９、10、11・・・99、１、２・・・」のように「９」の後、２桁に繰上がって印刷される。また、「なし」が選択されると、「１、２、３、・・・９、１、２・・・」のように「９」の後、初期値の「１」に戻る。画面Ｄ３０の状態で［選択］キーが押下されると、連番印刷設定が終了し、図８の画面Ｄ３１の状態となる（情報入力画面に戻る）。
【００６３】
画面Ｄ３１に示すように、連番印刷設定が行われると、その入力位置に連番マーク９７が表示され、さらに初期値が網掛け表示される。連番マーク９７は、アルファベット「Ｎ」の左上に数字「２」が付加されたマークとなっているが、アルファベット「Ｎ」は「連番文字」であること、また数字「２」は、連番に２桁数字が含まれることを示している。
【００６４】
画面Ｄ３１の状態で［特殊印刷］キーが押下されると、特殊印刷選択画面（画面Ｄ３２）に遷移する。特殊印刷選択画面では、選択肢「連続印刷」、「鏡文字印刷」、「印刷実行？」を表示する。ここで、選択肢「連続印刷」が選択されると（画面Ｄ３２の状態で［選択］キーが押下されると）、連続印刷設定画面（Ｄ３３）に遷移し、連続印刷設定を開始する。連続印刷設定画面では、選択肢「枚数指定」および「止めるまで」を表示する。ここで、選択肢「枚数指定」が選択されると（画面Ｄ３３の状態で［選択］キーが押下されると）、枚数入力画面（画面Ｄ３４）に遷移する。なお、連続印刷設定画面で、選択肢「止めるまで」が選択された場合は、その時点で連続印刷設定が終了となる。
【００６５】
枚数入力画面（画面Ｄ３４）の状態で数字［６］キーが押下されると、画面Ｄ３５の状態となり（枚数「６」枚が入力され）、画面Ｄ３５の状態で［選択］キーが押下されると、画面Ｄ３６の状態となる（特殊印刷選択画面に戻る）。ここでは、直近設定値「連続印刷」の次の選択肢「鏡文字印刷」が反転表示される。また、画面Ｄ３６の状態で［↓］キーが押下され、選択肢「印刷実行？」を網掛け表示した状態で（画面Ｄ３７）［選択］キーが押下されると、印刷実行画面（Ｄ３８）に遷移し、印刷処理が実行される。印刷実行画面では、長さ設定画面（画面Ｄ２４）で設定された定長と、テープ識別センサー２７の検出結果に基づくテープ幅と、「連続印刷」である旨と、印刷枚数と、を表示する。なお、これらの情報に加えて、パッチパネル用ラベルＬｐの長さ（同図の例では、５．０ｃｍ×６＝３０．０ｃｍ）や、部分ラベルＬｓの枚数などを表示しても良い。また、連続印刷の進行にしたがって、印刷枚数の表示を「１」、「２」・・・とインクリメントさせても良い。なお、印刷終了後は、情報入力画面（画面Ｄ３９）に遷移する。画面Ｄ３９では、６枚分の部分ラベルＬｓの印刷が終了しているため、連番が「７」となる。
【００６６】
図９（ａ）は、図７および図８に示した手順で作成されたパッチパネル用ラベルＬｐ（連番入力）の印刷結果を示す平面図である。なお、図６（ａ）に示したフリー入力の場合の印刷結果と比べて、印刷される情報が異なるだけであるため、詳細な説明を省略する。また、連番入力の場合も、図９（ｂ）に示すように、前カットをするべき位置に前カット線９１を印刷しても良いし、図９（ｃ）に示すように、部分ラベルＬｓのラベル間に区切り線９２を印刷しても良い。
【００６７】
以上説明したとおり、本実施形態のラベル作成装置１によれば、定長を設定し、且つ複数枚のラベルを印刷するための情報を入力することで、複数枚の部分ラベルＬｓが繋がった状態の１枚のパッチパネル用ラベルＬｐを作成できる。これにより、複数の端子７２が１列に並ぶ場所に、各端子７２の端子名を明示するためのパッチパネル用ラベルＬｐを貼付しようとした場合、１枚貼付するだけでよく、貼付作業の手間を軽減できる。また、最後の部分ラベルＬｓの後端は切断されるため、手動によるテープＴの切断操作も不要となり、さらにユーザーの手間を軽減できる。また、切断設定部１５０により、自動切断を行うか否かを設定可能であるが、自動切断を行うと設定されている場合でも、複数枚の部分ラベルＬｓ間は切断されないため、切断設定部１５０の設定を変更することなく、通常ラベルの作成時はラベル印刷ごとに自動切断を行い、パッチパネル用ラベルＬｐの作成時は最後の部分ラベルＬｓの後端のみを切断する、といった使い方が可能となる。
【００６８】
また、情報入力方法として「フリー入力」を選択した場合は、使用用途やユーザーの好みに応じて、各部分ラベルＬｓに任意の情報を印刷することができる。また、フリー入力時は、ユーザーの選択操作（改行操作）により各部分ラベルＬｓに対応した入力行が発生するため、ラベル枚数の設定などの必要がなく、容易且つ迅速に情報入力を行うことができる。さらに、フリー入力時は、対象入力行の行頭にカーソルＫがある状態で削除操作が行われた場合、単に前入力行の行末にカーソルＫが移動したり、対象入力行を削除したりなど、対象入力行に情報が入力されているか否かに応じて［削除］キー押下後の結果が変化するため、使い勝手が良い。
【００６９】
また、情報入力方法として「連番入力」を選択した場合は、連番印刷機能および連続印刷機能を実現できるため、情報入力の手間を軽減することができる。また、定長記憶部１１０は、フリー入力時と、連番入力時とで、個別の直近設定値を記憶するため、使用用途に応じてフリー入力と連番入力を使い分けている場合に、それぞれの定長設定の手間を軽減できる。
【００７０】
また、切断部１７３は、テープＴの送り開始からヘッドカッタ間距離分の送り終了後に印刷テープを切断する（前カットを行う）ため、部分ラベルＬｓの先端から（ヘッドカッタ間距離分の前余白を必要とすることなく）文字の印刷が可能となり、テープＴを逆送りするなどの複雑な制御を必要とすることなく、パッチパネル用ラベルＬｐの先端から情報を印刷することができる。また、前カットにより、全ての部分ラベルＬｓのラベル長が統一されるため、パネル前面７０に貼付した際の見栄えが良い。
【００７１】
なお、上記の実施形態では、文字列の方向がテープＴの長手方向であり、文字の向きが「横書き」となる場合を例示したが、図１０（ａ）に示すように、文字の向きを「縦書き」としても良い。また、図１０（ｂ）に示すように、文字列の方向をテープＴの幅方向としても良い。また、この場合は、複数行の文字列を入力可能としても良い。また、複数行の文字列を入力可能とした場合は、設定された定長に応じて、入力行数を制限し、入力可能な行数以上の文字列が入力されようとした場合は、エラー表示を行うことが好ましい。さらに、文字列の方向や文字の向きについて、ユーザーが選択可能としても良い。このように、文字列の方向や文字の向きを選択できることで、パッチパネル用ラベルＬｐを、端子７２が縦に配列されたパッチパネルに対して貼付することも可能となる。
【００７２】
また、上記の実施形態では、定長を、センチメートル単位で設定したが、インチ単位など他の単位で設定可能としても良い。また、上記の実施形態では、各部分ラベルＬｓに対応して入力された情報を、それぞれ定長の範囲に「中揃え」の割付けで配置したが、「前揃え」、「後揃え」、「均等割付け」などの割付けで配置しても良い。また、定長の単位や割付けの種類について、ユーザーが選択可能としても良い。
【００７３】
また、上記の各実施形態に示した、ラベル作成装置１の各構成要素をプログラムとして提供することが可能である。また、そのプログラムを各種記録媒体（ＣＤ−ＲＯＭ、フラッシュメモリ等）に格納して提供することも可能である。すなわち、コンピューターを、ラベル作成装置１の各部として機能させるためのプログラム、およびそれを記録した記録媒体も、本発明の権利範囲に含まれるものである。その他、本発明の要旨を逸脱しない範囲で、適宜変更が可能である。
【符号の説明】
【００７４】
１…ラベル作成装置  ３…キーボード  ７…印刷ヘッド  ２３…テープカッター  ２５…カッターモーター  ４１…表示画面  ４２…特殊キー群  ７１…ケーブル  ７２…端子  ９１…前カット線  ９２…区切り線  ９７…連番マーク  Ｃ…テープカートリッジ  Ｋ…カーソル  Ｌｐ…パッチパネル用ラベル  Ｌｓ…部分ラベル  Ｔ…テープ
【図１】
0005609405.tif 000002
【図２】
0005609405.tif 000003
【図３】
0005609405.tif 000004
【図４】
0005609405.tif 000005
【図５】
0005609405.tif 000006
【図６】
0005609405.tif 000007
【図７】
0005609405.tif 000008
【図８】
0005609405.tif 000009
【図９】
0005609405.tif 000010
【図１０】
0005609405.tif 000011
【図１１】
0005609405.tif 000012